【事件の表示】
　特願２０００−３８２８１７「データ入力装置」拒絶査定不服審判事件〔平成１３年　８月１０日出願公開、特開２００１−２１６０８４〕について、次のとおり審決する。
【結　論】
　本件審判の請求は、成り立たない。
【理　由】
１．手続の経緯
　本願は、平成１２年１２月１５日（パリ条約優先権主張、１９９９年１２月１７日、英国）の出願であって、平成２２年４月８日付けで拒絶査定がなされ、これに対して平成２２年８月１１日に拒絶査定に対する審判が請求され、同時に手続補正がなされたものである。
　
２．平成２２年８月１１日付け手続補正について
［補正却下の決定の結論］
　平成２２年８月１１日付け手続補正（以下「本件補正」という。）を却下する。
［理由］
　本件補正のうち、補正前、補正後の請求項１の記載はそれぞれ、以下のとおりである。
補正前の請求項１（平成２１年１０月６日付け手続補正）
「【請求項１】　データ入力装置であって、
　略平面状に配列された複数の感知ユニットを備えた人間の皮膚の表面の起伏を感知することができるセンサーと、
　前記センサーの出力の変化に反応して該センサーを通過する皮膚の移動を検出する移動検出器と、
　前記移動検出器に反応して検出された皮膚の移動に対応して前記移動検出器の状態を変更するユーザインターフェース装置とを具備し、
　前記センサーが、第１の方向に延びる感知ユニットの直線アレイを備えた第１感知部と、第２の方向に延びる感知ユニットの直線アレイを備えた第２感知部とを備え、前記感知ユニットは第２の方向よりも第１の方向へ接近して配置されており、
　前記移動検出器が、前記第１感知部からの連続的な出力を比較して前記第１の方向の移動を検出すると共に、前記第２感知部からの連続的な出力を比較して前記第２の方向の移動を検出するよう作動し、さらに、
検出された前記第１および第２の方向の移動の組合せから、前記センサーを横断する移動の合成された方向を判断するよう作動する
ことを特徴とするデータ入力装置。」
　
補正後の請求項１
「【請求項１】　データ入力装置であって、
　略平面状に配列された複数の感知ユニットを備えた人間の皮膚の表面の起伏および動きを感知することができるセンサーと、
　前記センサーの出力の変化に反応して該センサーを通過する皮膚の動きを検出するように設計された移動検出器と、
　前記移動検出器に反応して検出された皮膚の動きに対応して、そのユーザーインターフェース自体の状態を変更するように設計されたユーザインターフェース装置とを具備し、
　前記センサーが、前記人間の皮膚の第１の方向の動きを感知するように設計された、第１の方向に延びる感知ユニットの直線アレイを備えた第１感知部と、前記人間の皮膚の第２の方向の動きを感知するように設計された、第２の方向に延びる感知ユニットの直線アレイを備えた第２感知部とを備えており、前記第１感知部の感知ユニット同士は、人間の皮膚の表面の起伏を検出できるように、前記第２感知部の感知ユニット同士の第２の方向よりも第１の方向でより接近して配置されるように設計されており、
　前記移動検出器が、前記第１感知部からの連続的な出力を比較して前記第１の方向の動きを検出するように設計されると共に、前記第２感知部からの連続的な出力を比較して前記第２の方向の動きを検出するよう作動し、さらに、
検出された前記第１および第２の方向の動きの組合せから、前記センサーを横断する動きの合成された方向を判断するよう作動する
ことを特徴とするデータ入力装置。」
　
　この補正は、補正前の「前記感知ユニットは第２の方向よりも第１の方向へ接近して配置されており」との記載を「前記第１感知部の感知ユニット同士は、人間の皮膚の表面の起伏を検出できるように、前記第２感知部の感知ユニット同士の第２の方向よりも第１の方向でより接近して配置されるように設計されており」とする補正を含むものである。
　そこで、本件補正後の「前記
第１感知部の感知ユニット同士は
前記第２感知部の感知ユニット同士の第２の方向よりも第１の方向でより接近して配置される
　
（１）当初明細書等の記載
　当初明細書には、第１の感知部、第２の感知部、及び感知ユニットに関して、以下の記載がある。
「【００１３】指紋センサー５は図２に一層詳細に示してある。センサーは互いに近接して配置された略２５６個の光学またはコンタクト・センサー（たとえばセンサー１１）の第１の直線アレイ１０と、略２０から第１のアレイに直角に配置された近接配置されたセンサーの第２の直線アレイ１１とからなっている。各センサーは１３で出力信号を発生させることができる１２で模式的に示した検出器回路に接続されている。出力部１３は制御プロセッサ３に接続されている。第１のアレイは、第１のアレイのセンサーのおのおのに入射する光のレベル、接触の程度、かかる力、温度または伝導性によって、それに接触する物体の直線部の詳細な形状を感知することができる。制御回路は定期的にセンサーを走査してそれらの出力を受け、そしてそれによって第１のアレイによって感知された表面起伏パターンを示す出力信号を定期的に発生させる。センサーからの出力は有限数のレベル、たとえば２、４、８または１６のレベルの一つとしてデジタル的に感知される。このようにして発生させられた連続した信号は、センサー上を通過する物体の形のイメージを作り上げるように、保存することができ、またはセンサー上を通過する物体のアレイの平面の移動の方向を決定するように、第２のアレイからのデータと共に、比較することができる。第１のアレイおよび第２のアレイから生じたデータは１３の出力信号に含められる。
【００１４】センサーはその上にあるおよび／またはその上を掃引された物体の表面起伏を検出することができる。
【００１５】指紋センサーはトムソンＣＳＦから出ているフィンガーチップＦＣ１５Ａ１４０であってよい。他の設計の指紋センサーを用いてもよい。
【００１６】操作の一つの態様では、ユーザは図２の１４に示したように第１のアレイの上に自分の指紋をスライドさせることができる。第２のアレイは、第２のアレイからの連続した出力が比較された場合、検出するべきアレイの上にユーザの指のスライド動作ができるようにする。ユーザの指が指紋センサーの上をスライドするとき、第１のアレイからの連続して信号を保存することによって、制御プロセッサはユーザの指紋のイメージを作り上げることができる。そのイメージは制御プロセッサ３によってメモリー９に保存することができる。つぎに保存されたイメージは安全確保のためターミナルの操作を確実にして使用するため、そののちの走査に対して正当性をチェックすることができる。連続した走査のあいだの期間はたとえば約１．５ｍｓに固定してもよく、或いは検出器回路１２で測定されたような第２のアレイによって検出された移動速度に依存してもよい。同じ原理を用いて指紋以外の物体の表面を走査することもできる。この走査の態様では、検出器回路によって出力される１３の信号は走査されたイメージを定義する情報を含む。
【００１７】操作の別の態様では、図１の可動ターミナルの指紋センサーを検出器回路１２および制御プロセッサ３と関連して用いて、センサーを通過するユーザの指紋の動作を検出することもできる。その動作を用いて電話のユーザインターフェースを制御する助けとすることもできる。第１および第２のアレイの連続的出力を頻繁に取って検出器回路１２によって比較される。アレイの連続的サンプルのあいだの期間は、たとえば２ｍｓ以下であってよい。一層大きい正確さを得るためには、二つ以上の連続した出力走査を比較すればよい。検出器回路１２は連続した出力を保存する。ついで検出器回路１２はそれらの中の同様の特徴を確認することを目標として連続的出力を分析する。そのような特徴が第１および第２のアレイを軸として走査のあいだで動いた距離が測定される。それらの距離をベクトルとして組合わせてセンサーを通過する指先の動作の合成された方向を定めることもできる。連続した走査のあいだの時間についての検出器回路１２の知識を用いて移動速度を測定することもできる。同じ原理を用いて指紋以外の物体のセンサーの上の移動の方向を測定することもできる。この操作の様相では検出器の回路構成によって出力される１３の点の信号はセンサー上の物体の移動の方向および速度を規定する情報からなる。
【００１８】操作の所要の態様は、制御プロセッサ３によって接続部１３ａを介して検出器回路構成１２に指示される。
【００１９】指紋センサーは、勿論、指先以外の他の身体の部分または他の物体の表面起伏を検出することができる。指紋センサーは好ましくはデジタル式で表面起伏を感知することができる。指紋センサーは好ましくは０．１ｍｍ未満、より好ましくは０．０５ｍｍ、最も好ましくは０．０１ｍｍ未満の解像力で表面起伏を感知することができる。好ましいセンサー・ピッチは約５０ミクロンである。」
　
　当初図面の図１（コミュニケーション・ターミナルの構成を模式的に示した説明図）には、長方形の指紋センサ５が記載されている。
　
　当初図面の図２（図１の指紋センサーを示す説明図）には、指紋センサー５が記載され、
・指紋センサー５の上辺の列には、３個の○印と４個の○印の間が一点鎖線で結ばれ、参照符号１１が記載されている。
・指紋センサーの左辺には、３個の○印と１個の○印の間が一点鎖線で結ばれている。
・指紋センサーの右方には、参照符号１０が付されている。
　
　当初図面の図３（ａ）〜（ｃ）（図１の可動電話機のユーザインターフェースの操作の態様を示す説明図）には、可動ターミナルに設けられた長方形の指紋センサ５が記載され、長方形の指紋センサ５の中央部には、スリット状の長方形が指先の絵と共に記載されている。
　
（２）当審の判断
　これらの当初明細書等には、「
第１感知部の感知ユニット同士は
前記第２感知部の感知ユニット同士の第２の方向よりも第１の方向でより接近して配置され
　
　審判請求人は、上記補正について、審判請求書の「請求の理由」の「【本願発明が特許されるべき理由】、（１）［請求項１］、（ｂ）補正の根拠の明示、（iv）」（平成２２年９月２日付け手続補正書（方式））において、以下のように説明している。
「補正前の表現では、「感知ユニット」というものが、「第１方向というものに向かって」、あるいは「第１の方向に沿って何かに向かって」接近することを意味しているようにも解される可能性があります。そのため、上記補正により、「直線状に配列されている多数の感知ユニット同士の間隔（隣接する感知ユニット同士の間隔）が接近していること」、さらに「第１方向のほうが、第２方向よりもより接近している」ことを明確にしたのであります。
　この補正は、明細書の段落［００１３］の「センサーは互いに近接して配置された略２５６個の・・・・センサーの第１の直線アレイ」、「略２０（個）から・・・・近接配置されたセンサー」に基づきます。さらに段落［００１３］には、「第１のアレイは、第１のアレイのセンサーのおのおのに入射する光のレベル・・・・によって、それに接触する物体の・・・詳細な形状を感知することができる。」と記されており、第１方向に配列された感知ユニット群が指紋などの皮膚の起伏（凹凸）のパターンを詳細に検出するとの記述によってもサポートされております。そしてこの補正は不明瞭な記載の釈明に該当いたします。」
　しかしながら、当初明細書の段落【００１３】には、「より接近した配置される」旨の日本語の記載は存在していない。また、その他の明細書の記載をみても、「より接近して配置される」ことについての記載、あるいは、それを示唆する記載は見当たらない。
　審判請求人は、センサの個数を補正の根拠として指摘するものとも考えられるが、当初明細書の段落【００１３】には「略２０から第１のアレイに直角に配置された近接配置されたセンサーの第２の直線アレイ１１」と記載されているが、「２０個」と記載されているわけではない。仮に、当該記載が個数を示すとしても、センサの個数とセンサの間隔がどのように関係するのか記載があるわけではなく、２５６個、２０との記載が、センサの間隔を記載し、あるいは示唆されているものとは認められない。（なお、図１、図２、図３において、指紋センサ５は長方形、あるいは長方形のスリット状の形状を有しており、センサの個数が異なるのは当然のことである。）
　また、審判請求人の主張する段落【００１３】の「第１のアレイは、第１のアレイのセンサーのおのおのに入射する光のレベル、接触の程度、かかる力、温度または伝導性によって、それに接触する物体の直線部の詳細な形状を感知することができる。」との記載も、第２アレイのセンサと対比して記載されているものではなく、補正の根拠ということはできない。
　
　以上のとおりであるから、この補正は、当初明細書等のすべての記載を総合することにより導かれる技術的事項との関係において、新たな技術的事項を導入するものであるから、特許法第１７条の２第３項の規定に違反している。
　
（３）むすび
　したがって、本件補正は、特許法第１７条の２第３項の規定に違反するので、同法第１５９条第１項において読み替えて準用する同法第５３条第１項の規定により却下すべきものである。
　
３．本願発明について
　平成２２年８月１１日付け手続補正は上記のとおり却下されたので、本願の請求項１、８に係る発明は、平成２１年１０月６日付け手続補正により補正された特許請求の範囲の請求項１、請求項８に記載された事項により特定される以下のとおりのものである。（以下、それぞれ、「本願発明１」、「本願発明８」という。）
　なお、請求項１の「前記移動検出器の状態を変更するユーザインターフェース装置」との記載は、審判請求人が審判請求書の「請求の理由」（平成２２年９月２日付け手続補正書（方式））の「【本願発明が特許されるべき理由】、（１）［請求項１］、（ｂ）補正の根拠の明示、（ii）」において、出願時の特許請求の範囲の請求項１４および明細書の段落【０００６】、【００２１】を根拠とした説明を参酌すると、「そのユーザーインターフェース自体の状態を変更するユーザインターフェース装置」の誤記であると認められるので、誤記を訂正して以下のように認定した。
「【請求項１】データ入力装置であって、
　略平面状に配列された複数の感知ユニットを備えた人間の皮膚の表面の起伏を感知することができるセンサーと、
　前記センサーの出力の変化に反応して該センサーを通過する皮膚の移動を検出する移動検出器と、
　前記移動検出器に反応して検出された皮膚の移動に対応して、そのユーザーインターフェース自体の状態を変更するユーザインターフェース装置とを具備し、
　前記センサーが、第１の方向に延びる感知ユニットの直線アレイを備えた第１感知部と、第２の方向に延びる感知ユニットの直線アレイを備えた第２感知部とを備え、
前記
　前記移動検出器が、前記第１感知部からの連続的な出力を比較して前記第１の方向の移動を検出すると共に、前記第２感知部からの連続的な出力を比較して前記第２の方向の移動を検出するよう作動し、さらに、
検出された前記第１および第２の方向の移動の組合せから、前記センサーを横断する移動の合成された方向を判断するよう作動する
ことを特徴とするデータ入力装置。
【請求項８】　前記センサーが、前記皮膚とセンサーとの相対回転を感知可能であることを特徴とする、請求項１記載のデータ入力装置。」
　
（１）原査定の理由２（特許法第２９条第２項）について
（１−１）引用刊行物
　原査定の拒絶の理由に引用された、本願の優先日前に頒布された刊行物「特開平１１−２１２６８９号公報」（以下「引用刊行物１」という。）には、図面とともに以下の記載がある。
「【特許請求の範囲】
【請求項１】  ユーザの指操作で情報を入力する入力装置において、
指で押下した場合の押下強度を検出する圧力センサと、
指紋を検出する指紋センサと、
前記指紋にもとづいて、前記指の移動を検出する移動検出手段と、
前記押下強度に応じた前記情報に対応する第１の信号を生成する第１の信号生成手段と、
前記指の移動に応じた前記情報に対応する第２の信号を生成する第２の信号生成手段と、
前記第１の信号及び前記第２の信号を本体部へ送信する信号送信手段と、
を有することを特徴とする入力装置。
【請求項２】  前記圧力センサは、前記押下強度として、非接触、接触、弱押し、強押しの少なくとも１つを検出することを特徴とする請求項１記載の入力装置。
【請求項３】  前記移動検出手段は、移動前の指紋を記憶し、前記移動前の指紋と、移動後の指紋を比較することで前記指の移動を検出することを特徴とする請求項１記載の入力装置。
【請求項４】  前記移動検出手段は、前記指の移動として、上、下、左、右、右上、右下、左上、左下の少なくとも１つを検出することを特徴とする請求項１記載の入力装置。
【請求項５】  前記入力装置は、電話機の操作部に適用されることを特徴とする請求項１記載の入力装置。」（第２頁）
　
「【０００１】
【発明の属する技術分野】本発明は入力装置に関し、特にユーザの指操作に応じた入力処理を行う入力装置に関する。」（第２頁）
　
「【０００２】
【従来の技術】近年、携帯電話機などで使用されているジョグダイヤルは、上下の回転及び押下により、入力操作を簡単にしようとするものである。このジョグダイヤルは、ロータリスイッチを利用している関係から、入力手段が指の上下方向の移動及び指の押下といった３種類に限られている。
【０００３】
【発明が解決しようとする課題】しかし、上記のようなジョグダイヤルは、入力に対する制御部の処理が深いツリー構造をとらなければならず、内部処理が複雑になるといった問題があった。
【０００４】また、３種類の入力手段だけで操作をしなければならないので、面倒な入力手順を覚えなければならず、ユーザが使いこなすには不便であるといった問題があった。
【０００５】さらに、ジョグダイヤルを上下方向に回転する場合には、指に負担がかかるといった問題があった。本発明はこのような点に鑑みてなされたものであり、指紋センサ及び圧力センサを用いて多様な入力手段を実現し、操作性の向上を図った入力装置を提供することを目的とする。」（第２頁）
　
「【０００６】
【課題を解決するための手段】本発明では上記課題を解決するために、ユーザの指操作で情報を入力する入力装置において、指で押下した場合の押下強度を検出する圧力センサと、指紋を検出する指紋センサと、前記指紋にもとづいて、前記指の移動を検出する移動検出手段と、前記押下強度に応じた前記情報に対応する第１の信号を生成する第１の信号生成手段と、前記指の移動に応じた前記情報に対応する第２の信号を生成する第２の信号生成手段と、前記第１の信号及び前記第２の信号を本体部へ送信する信号送信手段と、を有することを特徴とする入力装置が提供される。
【０００７】ここで、圧力センサは指で押下した場合の押下強度を検出する。指紋センサは指紋を検出する。移動検出手段は指紋にもとづいて、指の移動を検出する。第１の信号生成手段は、押下強度に応じた情報に対応する第１の信号を生成する。第２の信号生成手段は、指の移動に応じた情報に対応する第２の信号を生成する。信号送信手段は、第１の信号及び第２の信号を本体部へ送信する。」（第２頁）
　
「【０００８】
【発明の実施の形態】以下、本発明の実施の形態を図面を参照して説明する。図１は本発明の入力装置の原理図である。入力装置１０は、ユーザの指操作でユーザからの情報を入力する。
【０００９】圧力センサ１１は指で押下した場合の押下強度を検出する。指の押下強度としては非接触、接触、弱押し、強押し等がある。指紋センサ１２は指紋を検出する。移動検出手段１３は指紋にもとづいて、指の移動を検出する。移動検出については後述する。
【００１０】第１の信号生成手段１４は、押下強度に応じた情報に対応する第１の信号を生成する。例えば、押下強度として強押しの場合にデータ登録を行うものとすれば、このデータ登録が押下強度に応じた情報になる。そして、このデータ登録情報を本体部へ通知するための電気信号が第１の信号である。
【００１１】第２の信号生成手段１５は、指の移動に応じた情報に対応する第２の信号を生成する。例えば、指の移動として左移動の場合にデータ検索を行うものとすれば、このデータ検索が指の移動に応じた情報になる。そして、このデータ検索情報を本体部へ通知するための電気信号が第２の信号である。
【００１２】信号送信手段１６は、第１の信号及び第２の信号を本体部へ送信する。本体部とは例えば、電話操作部（ジョグダイヤルなど）を除いた電話機本体、またはキーボードを除いたパソコン本体等を指す。」（第２頁）
　
「【００１３】次に動作について説明する。図２は本発明の入力装置１０の動作手順を示すフローチャートである。
〔Ｓ１〕ユーザの指が接触すると、圧力センサ１１が指の接触を検出する。接触を検出した場合はステップＳ２へ、そうでなければステップＳ１を繰り返す。
〔Ｓ２〕指紋センサ１２は、ユーザの指の指紋を検出する。
〔Ｓ３〕圧力センサ１１が指の押下強度を検出した場合はステップＳ４へ、押下強度を検出しない場合はステップＳ５へ行く。指の押下強度としては、接触、弱押し、強押し等があり、これらの検出レベルは可変である。
〔Ｓ４〕第１の信号生成手段１４は、押下強度に応じた情報に対応する第１の信号を生成する。そして、信号生成手段１６は第１の信号を本体部へ送信する。例えば、この第１の信号がデータ登録情報を示す電気信号であるならば、この電気信号が送信され、データ登録情報が本体部で処理される。
〔Ｓ５〕移動検出手段１３が指の移動を検出した場合はステップＳ６へ、検出しない場合はステップＳ７へ行く。
【００１４】ここで、移動検出手段１３は、まず最初に指紋センサ１２で検出された移動前の指紋画像を記憶する。そして、次に指紋センサ１２で検出された移動後の指紋画像と、すでに取り込んだ移動前の指紋画像と、を比較して指の移動を検出する。指の移動としては、上、下の他に左、右、右上、右下、左上及び左下などがある。
〔Ｓ６〕第２の信号生成手段１５は、指の移動に応じた情報に対応する第２の信号を生成する。そして、信号送信手段１６は第２の信号を本体部へ送信する。例えば、この第２の信号がデータ検索情報を示す電気信号であるならば、この電気信号が送信され、データ検索情報が本体部で処理される。
〔Ｓ７〕圧力センサ１１が指の非接触を検出した場合は終了し、検出しない場合はステップＳ３へ戻る。
【００１５】次に携帯電話機のジョグダイヤルの代わりに本発明の入力装置１０を適用した場合について説明する。図３は本発明を適用した携帯電話機の構成を示す図である。なお、本発明の構成要素は上述したので説明は省略する。」（第３頁）
　
「【００１９】表示部２２ａは電話番号の表示などを行う。操作部２２ｂは電話をかけたりするためのボタンなどのユーザインタフェースを提供する。以上説明したように、本発明の入力装置１０は、圧力センサ１１で検出された指の押下強度と、指紋センサ１２で検出された指紋に対する指紋の移動と、に応じて情報を入力する構成とした。
【００２０】これにより、圧力センサ１１によってユーザの指の押下を検出するので、従来のジョグダイヤルのようなクリックの有無だけでなく、非接触、接触、弱押し、強押し等の多様な入力手段を提供できる。
【００２１】また、指紋センサ１２で検出した指紋にもとづいて、指の移動を検出するので従来のジョグダイヤルのような上、下の移動だけでなく、左、右、右上、右下、左上及び左下等の多様な入力手段を提供できる。さらに指への負担も軽減できる。
【００２２】また、本発明の入力装置１０を携帯電話機１００の操作部に利用することで、電話帳データの登録・検索や発着信等の操作を手軽に行うことが可能になる。なお、上記の説明では、入力装置１０を携帯電話機１００の操作部に適用したが、それ以外の情報通信機器等の操作部に適用しても構わない。」（第３頁）
　
　これら引用刊行物１の記載から、引用刊行物１には、従来、携帯電話機などで使用されているジョグダイヤルの問題点を解決するために、指紋センサ及び圧力センサを用いて多様な入力手段を実現し、操作性の向上を図った入力装置を提供することを目的として、以下の発明（以下、「引用発明」という。）が記載されているものと認められる。
「ユーザの指操作で情報を入力する入力装置と、表示部と操作部を有する本体部、とからなる携帯電話機であって、入力装置は前記操作部に適用され、前記入力装置は、指紋を検出する指紋センサと、指の移動前の指紋画像と、移動後の指紋画像とを比較して指の左右、上下、右上、右下、左下、左上などの指の移動を検出する移動検出手段と、指の移動に応じた情報に対応する信号を生成する信号生成手段と、信号生成手段により生成された信号を本体部へ送信する信号送信手段とを有する、携帯電話機。」
　
　同じく原査定の拒絶の理由に引用された、本願の優先日前に頒布された刊行物「特開平５−６１９６６号公報」（以下「引用刊行物２」という。）には、図面とともに以下の記載がある。
「【特許請求の範囲】
【請求項１】複数個の圧電薄膜素子をマトリックス状に配置して、各圧電薄膜素子に加えられた圧力を電気出力信号に変換することにより、指の指紋情報を検出する指紋センサにおいて、下面電極上に圧電薄膜を形成したのち、前記圧電薄膜上に少なくとも圧電薄膜の厚みの１／２の寸法だけ後退させた上面電極を形成し、前記下面電極と前記上面電極を介して分極処理することにより、センサ素子を構成することを特徴とする指紋センサ。
【請求項２】各圧電薄膜素子の出力信号を増幅またはインピーダンス変換する増幅素子またはインピーダンス変換素子と、前記増幅素子またはインピーダンス変換素子の出力を順次走査するスイッチング素子とを備えていることを特徴とする請求項１記載の指紋センサ。」（第２頁）
　
「【発明の詳細な説明】
【０００１】
【産業上の利用分野】本発明は、圧電薄膜を利用した指紋センサ、特に指の指紋パターンを検出するためのセンサ部の構成に関する。
【０００２】
【従来の技術】近年、情報システムの発展、普及、多様化に伴って、「万人不同」、「終生不変」という指紋情報を用いた情報セキュリティが注目を集めている。現在実用化されている指紋照合システムは、各種端末に組み込むためには形状も大きく、高価であり、今後、情報システム機器に組み込み可能な小型化、あるいはカード形状の指紋センサが切望されている。
【０００３】従来の指紋検出方法は、指先をガラス面などに押し当てて、その部分を光源で照射し、その反射光をＣＣＤ等により光電変換して電気出力信号とし、この電気出力信号を処理することにより、指紋を検出している（例えば特開昭６０−１１４９７９号公報参照）。
【０００４】この様な光学式の指紋センサ以外には、感圧シートにマトリックス電極を形成し、感圧シートの抵抗値を電気的に取り出すこよにより、指紋パターンを圧力的に検出する方法（例えば特開昭６３−２０４３７４号公報）なども提案されている。」（第２頁）
　
「【００１０】
【実施例】以下、本発明の一実施例について、図面を参照しながら説明する。
【００１１】図１は本発明の指紋センサ・マトリックスの１単位つまり１つのセンサ素子部分の構成を説明するための平面図である。同図において、１は下面電極４上に少なくとも下面電極４の幅の寸法Ｗ1 を有する圧電薄膜５を形成したのち、この圧電薄膜５上に下面電極４の境界辺から少なくとも圧電薄膜５の厚みの１／２の寸法Ｗ2 だけ後退させた上面電極６を形成し、下面電極４と上面電極６を介して分極処理することにより構成されるセンサ素子である。
【００１２】また、２はこのセンサ素子１を走査するためのスイッチング用のＭＯＳ型電界効果トランジスタ（以下ＦＥＴと記す）であり、３はこのセンサ素子１の出力信号のインピーダンスを低くして信号処理しやすくするためのインピーダンス変換用ＦＥＴであり、また３はセンサ素子１の出力信号を増幅する増幅用ＦＥＴであってもよい。」（第２頁）
　
「【００２２】つまり、図１に示したセンサ素子１とスイッチング用ＦＥＴ２と増幅用またはインピーダンス用ＦＥＴ３とにより構成される、一辺が約５０μｍの１つのサンサ単位（図中の斜線部領域）を、図３に示した様にマトリックス状に複数個配置することにより、本実施例における指紋センサを構成している。
【００２３】この構成により、指紋の山部と谷部とを検出することが可能となり、指の指紋パターンに応じた圧力分布を精度良く検出することができる。なお、本実施例においては、１つのセンサ単位をマトリックス状に整列配置しているが、これに限定されるものではなく、例えば千鳥形状に配列させることも可能である。
【００２４】また、本実施例においては、電気出力信号の検出手段として、単結晶シリコンのＦＥＴアレイを用いたが、この理由について説明する。
【００２５】上記ＦＥＴアレイ以外の検出方法としては、ＣＣＤにより出力信号を転送する方法もあるが、最小取扱電荷が約６．３×１０-17Ｃであるため、圧電薄膜による小さな出力電荷を正確に検出するための充分な諧調が得られないという問題点がある。
【００２６】さらに、アモルファスシリコンあるいは多結晶シリコンの薄膜トランジスタ（ＴＥＴ）を用いてスイッチング素子を構成する方法もあるが、両者とも単結晶シリコンのＦＥＴに比較して、漏れ電流が大きいため、μｓｅｃオーダの非常に短時間の間に出力信号を読み出す必要があるという問題点がある。
【００２７】これに比較して、単結晶シリコン上に増幅素子またはインピーダンス変換素子とスイッチング素子とを構成することにより、単結晶シリコンはアモルファスシリコンあるいは多結晶シリコンと比較して、漏れ電流が１０2 〜１０4 倍程度少なく、出力信号の読み取り時間がｍｓｅｃ〜ｓｅｃオーダになるため、圧電薄膜による小さな出力電荷を正確に検出することが可能となる。　
【００２８】次に、この指紋センサの出力信号の検出方法を説明する。説明を簡略化するために、３行×３列のマトリックス状の検出素子から構成される指紋センサの回路図を図３に示す。・・・（省略）・・・」（第３頁）
　
「【図面の簡単な説明】
【図１】本発明の指紋センサの一実施例におけるセンサ素子部分の平面図
【図２】図１の実施例におけるＡ−Ｂ線に沿う断面図
【図３】同実施例の全体構成を示す平面図
【図４】同実施例の指紋センサの回路図」（第４頁）
　
　なお、上記段落【００２８】には、「説明を簡略化するために、３行×３列のマトリックス状の検出素子から構成される指紋センサの回路図を図３に示す。」と記載されているが、図面の簡単な説明の項に「【図３】同実施例の全体構成を示す平面図、【図４】同実施例の指紋センサの回路図」と記載され、段落【００２２】に「図１に示したセンサ素子１とスイッチング用ＦＥＴ２と増幅用またはインピーダンス用ＦＥＴ３とにより構成される、一辺が約５０μｍの１つのサンサ単位（図中の斜線部領域）を、図３に示した様にマトリックス状に複数個配置することにより、本実施例における指紋センサを構成している。」と記載されていることから、上記段落【００２８】の「図３」との記載は、「図４」の誤記と認められる。
　
（１−２）対比
　本願発明１と引用発明を対比すると、
　引用発明の「入力装置」は、それぞれ、本願発明１の「データ入力装置」に相当する。
　引用発明の指紋を検出する「指紋センサ」は、人間の皮膚の表面の起伏を感知していることは明らかであるから、引用発明の「指紋センサ」は、本願発明１の「人間の皮膚の表面の起伏を感知することができるセンサー」に相当する。
　引用発明の「移動検出手段」は、指紋センサにより検出された、指の移動前の指紋画像と移動後の指紋画像とを比較して指の左右、上下、右上、右下、左下、左上などの指の移動を検出し、引用発明の「信号生成手段」は、指の移動に応じた情報に対応する信号を生成しているから、引用発明の「移動検出手段」及び「信号生成手段」は、本願発明１の「移動検出器」に相当し、引用発明の「移動検出器」（移動検出手段及び信号生成手段）は、センサーの出力の変化に反応して該センサーを通過する皮膚の移動を検出し、センサーを横断する移動の方向を判断するように作動しているということができる。
　引用発明において、「表示部」、「操作部」、及び、操作部に適用される「入力装置」が、携帯電話機の「ユーザーインターフェース」を構成していることは明らかであって、引用発明の入力装置は、携帯電話機の操作部に適用され、信号生成手段により生成された指の移動に応じた情報に対応する信号が操作部の入力として利用され、その場合にユーザーインターフェースの状態が変化することは当然のことであるから、本願発明１と同様に、引用発明において、ユーザインターフェース装置は、移動検出器に反応して検出された皮膚の移動に対応してユーザーインターフェース自体の状態を変更しているものと認められる。
　
　したがって、両者は
「データ入力装置であって、
　人間の皮膚の表面の起伏を感知することができるセンサーと、
　前記センサーの出力の変化に反応して該センサーを通過する皮膚の移動を検出する移動検出器と、
　前記移動検出器に反応して検出された皮膚の移動に対応して、そのユーザーインターフェース自体の状態を変更するユーザインターフェース装置とを具備し、
　前記移動検出器が、前記センサーを横断する移動の方向を判断するよう作動するデータ入力装置。」の点で一致し、以下の点で相違している。
　
相違点１
　本願発明１のセンサーは、略平面状に配列された複数の感知ユニットを備え、前記センサーが、第１の方向に延びる感知ユニットの直線アレイを備えた第１感知部と、第２の方向に延びる感知ユニットの直線アレイを備えた第２感知部とを備え、前記感知ユニットは第２の方向よりも第１の方向へ接近して配置されているのに対し、引用発明には、センサの具体的構成については記載がない点。  　
　
相違点２
　本願発明１の移動検出器は、前記第１感知部からの連続的な出力を比較して前記第１の方向の移動を検出すると共に、前記第２感知部からの連続的な出力を比較して前記第２の方向の移動を検出するよう作動し、さらに、検出された前記第１および第２の方向の移動の組合せから、前記センサーを横断する移動の合成された方向を判断するよう作動するのに対し、引用発明の移動検出器も、第１感知部、及び第２感知部からの出力から、センサーを横断する移動の方向を判断するよう作動しているが、第１感知部、及び第２感知部からの出力から、どのようにして、センサーを横断する移動の方向を判断するよう作動しているのか記載されていない点。
　
（１−３）当審の判断
　以下、上記相違点について検討する。
　
相違点１について
　人間の皮膚の表面の起伏である指紋を、平面上で、第１の方向に伸びる感知ユニットの直線アレイと、これと直交する第２の方向に伸びる感知ユニットの直線アレイとからなるセンサ（マトリックス状のセンサ）により検出することは、引用刊行物２（従来技術として、ＣＣＤ等により指紋を検出することが記載され、実施例として、単結晶シリコン上に構成された指紋センサ・マトリックス（図３）により指紋を検出することが記載されている。）、特開平１１−２８８３５４号公報（段落【０００９】、【００１４】〜【００１８】、図２、図５、チップ上に垂直、水平方向にアレイ状にセンサを配置して、指紋のイメージを検出して指紋の動きを検出するユーザ入力装置が記載されている。以下、「周知刊行物１」という。）、特開平１１−２５３４２８号公報（従来技術を記載した段落【０００６】には、３８４ｘ２５６個のセンサーアレイを有する指紋センサが記載されており、また、実施の形態の段落【００１０】〜【００１２】、図１、図２には、単一のチップ上に水平、垂直方向に配列されたセルにより指紋を検出することが記載されている。）にも記載されているように周知であること、センサの配置をどのようにするかは設計的事項であることから、引用発明において、センサーを、略平面状に配列された複数の感知ユニットを備え、前記センサーが、第１の方向に延びる感知ユニットの直線アレイを備えた第１感知部と、第２の方向に延びる感知ユニットの直線アレイを備えた第２感知部とを備え、前記感知ユニットは第２の方向よりも第１の方向へ接近して配置されたものとすることは、当業者が周知技術に基づいて容易になし得ることである。
　
相違点２について
　データ入力装置の移動検出器において、第１の検知部とこれと直交する第２の検知部からのそれぞれの対象物の変移を連続して検出して、これを組み合わせて移動方向を出力することは周知刊行物１（段落【００２３】）に記載されているように周知であり、また、一般に、対象物の変位を直線状、あるいはマトリックス状に配置されたセンサの出力を連続的に比較することにより検知することも周知であって格別のことではないから、引用発明において、移動検出器が、前記第１感知部からの連続的な出力を比較して前記第１の方向の移動を検出すると共に、前記第２感知部からの連続的な出力を比較して前記第２の方向の移動を検出するよう作動し、さらに、検出された前記第１および第２の方向の移動の組合せから、前記センサーを横断する移動の合成された方向を判断するよう作動するように構成することは当業者が周知技術に基づいて容易になし得ることである。
　
（１−４）小括
　以上のとおり、本願発明１（請求項１に係る発明）は、引用発明及び周知技術に基づいて当業者が容易に発明をすることができたものである。
　したがって、本願は特許法第２９条第２項の規定により特許を受けることができない。
　
（２）原査定の理由５（特許法第３６条第４項）について
（２−１）原査定の理由５
　原査定の理由５の概要は、以下のとおりである。
「 この出願は、発明の詳細な説明の記載が下記の点で、特許法第３６条第４項に規定する要件を満たしていない。
　　　　　　　　　　　　　記
　この出願の発明の詳細な説明は、以下の点で当業者が請求項１１に係る発明を実施することができる程度に明確かつ十分に記載されたものでない。
　すなわち、発明の詳細な説明には、専ら「センサー上での指の回転移動を感知できる」ことのみが記載されているに過ぎず、どのようにして、当該指紋センサーによって指の回転移動を感知できるのか当業者が実施可能であるように明確かつ十分に記載されていない。」というものである。
（なお、上記拒絶の理由の対象である当初明細書の請求項１１は、平成２１年１０月６日付け手続補正により、請求項８として補正された。）
　
（２−２）当審の判断
　本願発明の詳細な説明には指の移動を検知に関して以下の記載がある。
「【００１６】操作の一つの態様では、ユーザは図２の１４に示したように第１のアレイの上に自分の指紋をスライドさせることができる。第２のアレイは、第２のアレイからの連続した出力が比較された場合、検出するべきアレイの上にユーザの指のスライド動作ができるようにする。ユーザの指が指紋センサーの上をスライドするとき、第１のアレイからの連続して信号を保存することによって、制御プロセッサはユーザの指紋のイメージを作り上げることができる。そのイメージは制御プロセッサ３によってメモリー９に保存することができる。つぎに保存されたイメージは安全確保のためターミナルの操作を確実にして使用するため、そののちの走査に対して正当性をチェックすることができる。連続した走査のあいだの期間はたとえば約１．５ｍｓに固定してもよく、或いは検出器回路１２で測定されたような第２のアレイによって検出された移動速度に依存してもよい。同じ原理を用いて指紋以外の物体の表面を走査することもできる。この走査の態様では、検出器回路によって出力される１３の信号は走査されたイメージを定義する情報を含む。
【００１７】操作の別の態様では、図１の可動ターミナルの指紋センサーを検出器回路１２および制御プロセッサ３と関連して用いて、センサーを通過するユーザの指紋の動作を検出することもできる。その動作を用いて電話のユーザインターフェースを制御する助けとすることもできる。第１および第２のアレイの連続的出力を頻繁に取って検出器回路１２によって比較される。アレイの連続的サンプルのあいだの期間は、たとえば２ｍｓ以下であってよい。一層大きい正確さを得るためには、二つ以上の連続した出力走査を比較すればよい。検出器回路１２は連続した出力を保存する。ついで検出器回路１２はそれらの中の同様の特徴を確認することを目標として連続的出力を分析する。そのような特徴が第１および第２のアレイを軸として走査のあいだで動いた距離が測定される。それらの距離をベクトルとして組合わせてセンサーを通過する指先の動作の合成された方向を定めることもできる。連続した走査のあいだの時間についての検出器回路１２の知識を用いて移動速度を測定することもできる。同じ原理を用いて指紋以外の物体のセンサーの上の移動の方向を測定することもできる。この操作の様相では検出器の回路構成によって出力される１３の点の信号はセンサー上の物体の移動の方向および速度を規定する情報からなる。」
　
　しかしながら、指の回転移動の感知について発明の詳細な説明には、段落【００３２】に、「ほかに注目すべき点は、前記入力装置がセンサー上での指の回転移動を感知できることである。これは、とくに、たとえばユーザの指をある点の中心に円運動させるとキーをロックに回動するシミュレートすることに対応する視覚的ディスプレイに連携して便利なデータ入力を可能にするものである。」と記載されているだけであって、請求項８に記載された「前記センサーが、前記皮膚とセンサーとの相対回転を感知可能」とは何を意味し、どのようにして、「前記センサー」が、「前記皮膚とセンサーとの相対回転を感知可能」であるのかについて記載されておらず、この出願の発明の詳細な説明は、本願発明８を実施することができる程度に明確かつ十分に記載されたものでない。
　
（２−３）小括
　以上のとおり、この出願の発明の詳細な説明は、本願発明８を実施することができる程度に明確かつ十分に記載されたものでない。
　したがって、本願は、特許法第３６条第４項に規定する要件を満たしていない。
　
（３）むすび
　本願は、上記のとおり、特許法第２９条第２項の規定により拒絶すべきものであり、また、特許法第３６条第４項の規定により拒絶すべきものである。
　
　よって、結論のとおり審決する。